(57)【特許請求の範囲】
【請求項１】
バッテリパックケースの内部空間の第１の領域に収納配置される第１のバッテリモジュールと、
前記バッテリパックケースの内部空間のうち、前記第１の領域に隣接する第２の領域に収納配置されると共に、モジュールの上面が前記第１のバッテリモジュールの上面よりも低く設定される第２のバッテリモジュールと、
前記第１のバッテリモジュール及び前記第２のバッテリモジュールに対し温調風を送風する送風口を有する温調ユニットと、
前記第２のバッテリモジュールに対向する前記第１のバッテリモジュールの面をモジュール正面というとき、一端が前記温調ユニットの送風口に接続され、他端が前記第２のバッテリモジュールの上面よりも上方に突出した前記第１のバッテリモジュールのモジュール正面上部域に対向配置され、且つ、他端位置に、前記モジュール正面上部域に沿って横幅方向に延在すると共に、前記第１のバッテリモジュールに向けて温調風を吹き出す吹き出し開口が形成される送風ダクトと、を備え、
前記吹き出し開口を、前記第１のバッテリモジュールよりも水平方向で前記第２のバッテリモジュール側、且つ、前記第１のバッテリモジュールの上面よりも低い段差位置で、前記第１のバッテリモジュールに向けて開口し、
前記温調ユニットからの温調風を、前記送風ダクトの前記吹き出し開口から、前記第２のバッテリモジュールの上面よりも上方に突出した前記第１のバッテリモジュールのモジュール正面上部域に向けて吹き出す構成とした
ことを特徴とする電気自動車のバッテリパック温調構造。
【請求項２】
請求項１に記載された電気自動車のバッテリパック温調構造において、
前記バッテリパックケースの内部空間を、境界線を隔てた一方側のバッテリモジュール搭載領域と、前記境界線を隔てた他方側の電装品搭載領域と、に分け、
前記第１のバッテリモジュールは、前記バッテリモジュール搭載領域を第１通路により区分した第１分割矩形領域に搭載した第１バッテリモジュールであり、
前記第２のバッテリモジュールは、前記バッテリモジュール搭載領域のうち、第１分割矩形領域を除いた領域を前記第１通路に交差する第２通路により区分した第２分割矩形領域と第３分割矩形領域に、それぞれ搭載した第２バッテリモジュールと第３バッテリモジュールであり、
前記温調ユニットの送風口を、前記第２通路に向けて前記電装品搭載領域に配置し、
前記送風ダクトを、前記各バッテリモジュールの区分搭載により形成され、互いに交差する前記第２通路と前記第１通路によるＴ字隙間スペース域に配置した
ことを特徴とする電気自動車のバッテリパック温調構造。
【請求項３】
請求項２に記載された電気自動車のバッテリパック温調構造において、
前記第２バッテリモジュール及び第３バッテリモジュールは、電装品搭載側の第１バッテリモジュール部と、該第１バッテリモジュール部より高さ寸法がさらに低い第１バッテリモジュール搭載側の第２バッテリモジュール部と、を有し、
前記送風ダクトは、前記温調ユニットの送風口に接続され、横幅方向の寸法が一定で前記第１バッテリモジュールに向かって延設した等幅ダクト部と、該等幅ダクト部に接続され、前記吹き出し開口に向かって横幅方向寸法を徐々に拡大した拡幅ダクト部と、を有し、
前記等幅ダクト部を、前記第２通路に沿って配置し、前記拡幅ダクト部を、前記第２バッテリモジュール部の上方スペース及び前記第１通路に沿って配置した
ことを特徴とする電気自動車のバッテリパック温調構造。
【請求項４】
請求項３に記載された電気自動車のバッテリパック温調構造において、
前記等幅ダクト部は、前記第２通路の通路断面形状に相似する縦長のダクト断面形状を保つ形状設定とし、
前記拡幅ダクト部は、ダクト断面形状の高さを、前記吹き出し開口に向かって次第に縮小し、且つ、ダクト断面形状の横幅を、前記吹き出し開口に向かって次第に拡大する形状設定とした
ことを特徴とする電気自動車のバッテリパック温調構造。
【請求項５】
請求項１から４までの何れか１項に記載された電気自動車のバッテリパック温調構造において、
前記第１のバッテリモジュールは、セルホルダーにより外側保持することで構成されるバッテリセルを厚み方向に複数個積み重ね、複数個のバッテリセルの積み重ね方向を横幅方向に一致させた縦積み搭載とし、
前記セルホルダーは、温調風をホルダー内に導く流入開口と、流入した温調風を排出する流出開口を有する
ことを特徴とする電気自動車のバッテリパック温調構造。 
【発明の詳細な説明】
【技術分野】
【０００１】
本発明は、バッテリパックケースの内部に収容されるバッテリモジュールの温度調整を行う電気自動車のバッテリパック温調構造に関する。
【背景技術】
【０００２】
従来、電池パックの冷却構造としては、バッテリパックケースの内部に収容されるバッテリモジュールの車両前方位置に冷却ユニットを設けると共に、一端が冷却ユニットに連通する送風ダクトをバッテリモジュールの上面に沿って車両前後方向に延びて形成する。そして、送風ダクトの他端は、高さが高くなったケース後部において、車幅方向に延在され、下面に設けた開口部から下方に向かって送風するものが知られている（例えば、特許文献１参照）。
【先行技術文献】
【特許文献】
【０００３】
【特許文献１】特開２０１１−１３４６１５号公報
【発明の概要】
【発明が解決しようとする課題】
【０００４】
しかしながら、従来の電池パックの冷却構造にあっては、バッテリパックケースに収容されるバッテリモジュールが、車両前方側バッテリモジュールの高さより車両後方側バッテリモジュールの高さが高い段差構造となっている。したがって、車両後方側バッテリモジュールに対し下方に向かって送風するには、送風ダクトを、高い車両後方側バッテリモジュールよりさらに高い上方位置に配置する必要がある。このため、バッテリパックケースの最大高さが、送風ダクトによる高さ分で増大してしまう、という問題があった。
【０００５】
本発明は、上記問題に着目してなされたもので、バッテリパックケースに収容されるバッテリモジュールの温度均一化を図りながら、バッテリパックケースの最大高さを低く抑えることができる電気自動車のバッテリパック温調構造を提供することを目的とする。
【課題を解決するための手段】
【０００６】
上記目的を達成するため、本発明の電気自動車のバッテリパック温調構造は、第１のバッテリモジュールと、第２のバッテリモジュールと、温調ユニットと、送風ダクトと、を備える。
前記第１のバッテリモジュールは、バッテリパックケースの内部空間の第１の領域に収納配置される。
前記第２のバッテリモジュールは、前記バッテリパックケースの内部空間のうち、前記第１の領域に隣接する第２の領域に収納配置されると共に、モジュールの上面が前記第１のバッテリモジュールの上面よりも低く設定される。
前記温調ユニットは、前記第１のバッテリモジュール及び前記第２のバッテリモジュールに対し温調風を送風する送風口を有する。
前記送風ダクトは、前記第２のバッテリモジュールに対向する前記第１のバッテリモジュールの面をモジュール正面というとき、一端が前記温調ユニットの送風口に接続され、他端が前記第２のバッテリモジュールの上面よりも上方に突出した前記第１のバッテリモジュールのモジュール正面上部域に対向配置され、且つ、他端位置に、前記モジュール正面上部域に沿って横幅方向に延在すると共に、前記第１のバッテリモジュールに向けて温調風を吹き出す吹き出し開口が形成される。
前記吹き出し開口を、前記第１のバッテリモジュールよりも水平方向で前記第２のバッテリモジュール側、且つ、前記第１のバッテリモジュールの上面よりも低い段差位置で、前記第１のバッテリモジュールに向けて開口する。
そして、前記温調ユニットからの温調風を、前記送風ダクトの前記吹き出し開口から、前記第２のバッテリモジュールの上面よりも上方に突出した前記第１のバッテリモジュールのモジュール正面上部域に向けて吹き出す構成とした。 
【発明の効果】
【０００７】
よって、温調ユニットからの温調風は、送風口から送風ダクトを経由し、送風ダクトの吹き出し開口から、第２のバッテリモジュールの上面よりも上方に突出した第１のバッテリモジュールのモジュール正面上部域に向けて吹き出される。
このように、第１のバッテリモジュールに対し先に冷却風を吹き出すと、第１のバッテリモジュールの温度が応答良く低下し、その後、バッテリパックケースの内部空間の雰囲気温度が低下し、第２のバッテリモジュールを冷却する。このため、第２のバッテリモジュールと第１のバッテリモジュールの温度落差が短時間にて小さく抑えられ、効率的にバッテリモジュールの温度均一化が図られる。
さらに、隣接して配置される２種類のバッテリモジュールに段差が生じることに着目し、送風ダクトの吹き出し開口を第１のバッテリモジュールのモジュール正面上部域に対向配置した。このため、送風ダクトの上面の高さを、第１のバッテリモジュールの上面の高さよりも高くする必要が無く、バッテリパックケースの最大高さ寸法は、送風ダクトの上面の高さを考慮することなく決めることができる。
この結果、バッテリパックケースに収容されるバッテリモジュールの温度均一化を図りながら、バッテリパックケースの最大高さを低く抑えることができる。
【図面の簡単な説明】
【０００８】
【図１】実施例１の構造を採用したバッテリパックBPが搭載されたワンボックスタイプの電気自動車を示す概略側面図である。
【図２】実施例１の構造を採用したバッテリパックBPが搭載されたワンボックスタイプの電気自動車を示す概略底面図である。
【図３】実施例１のバッテリパックBPを示す全体斜視図である。
【図４】実施例１のバッテリパックBPを示すバッテリケースアッパーカバーを外した斜視図である。
【図５】実施例１のバッテリパックBPのケース内部空間の領域区分構成を示す平面図である。
【図６】実施例１のバッテリパックBPの内部構成と温調風の流れを示すバッテリケースアッパーカバーを外した平面図である。
【図７】実施例１のバッテリパックBPの温調風ユニットの構成と温調風の流れを示す図６のＡ部拡大図である。
【図８】実施例１のバッテリパックBPに搭載されたSDスイッチ，温調風ユニット及び送風ダクトを示す斜視図である。
【図９】実施例１のバッテリパックBPに搭載された温調風ユニット及び送風ダクトを示す平面図である。
【図１０】実施例１のバッテリパックBPに搭載された温調風ユニット及び送風ダクトを示す側面図である。
【図１１】実施例１のバッテリパックBPに搭載された第１バッテリモジュールと送風ダクトの吹き出し開口部の関係を示す斜視図である。
【図１２】実施例１のバッテリパックBPに搭載された第１バッテリモジュールを構成するバッテリセルを示す斜視図である。
【発明を実施するための形態】
【０００９】
以下、本発明の電気自動車のバッテリパック温調構造を実現する最良の形態を、図面に示す実施例１に基づいて説明する。
【実施例１】
【００１０】
まず、構成を説明する。
実施例１の電気自動車のバッテリパック温調構造における構成を、「バッテリパックBPの車載構成」、「バッテリパックBPのパック構成要素」、「バッテリパックBPのケース内部空間の領域区分構成」、「バッテリパックBPの温調構造」、「バッテリパックBPの温調ユニットとSDスイッチの関連構成」に分けて説明する。
【００１１】
［バッテリパックBPの車載構成］
図１及び図２は、実施例１の構造を採用したバッテリパックBPが搭載されたワンボックスタイプの電気自動車を示す概略側面図及び概略底面図である。以下、図１及び図２に基づき、バッテリパックBPの車載構成を説明する。
【００１２】
前記バッテリパックBPは、図１に示すように、車体フロア１００の下部のホイールベース中央部位置に配置される。車体フロア１００は、モータ室１０１と車室１０２を画成するダッシュパネル１０４との接続位置から、車室１０２に連通する荷室１０３を確保する車両後端位置まで設けられ、車両前方から車両後方までのフロア面凹凸を抑えたフラット形状としている。車室１０２には、インストルメントパネル１０５と、センターコンソールボックス１０６と、エアコンユニット１０７と、乗員シート１０８と、を有する。
【００１３】
前記バッテリパックBPは、図２に示すように、車体強度部材である車体メンバに対して８点支持される。車体メンバは、車両前後方向に延びる一対のサイドメンバ１０９，１０９と、一対のサイドメンバ１０９，１０９を車幅方向に連結する複数のクロスメンバ１１０，１１０，…と、を有して構成される。バッテリパックBPの両側は、一対の第１サイドメンバ支持点Ｓ１，Ｓ１と一対の第１クロスメンバ支持点Ｃ１，Ｃ１と一対の第２サイドメンバ支持点Ｓ２，Ｓ２により６点支持される。バッテリパックBPの後側は、一対の第２クロスメンバ支持点Ｃ２，Ｃ２により２点支持されている。
【００１４】
前記バッテリパックBPは、図１に示すように、ダッシュパネル１０４に沿って車両前後方向に直線状に配索した充放電ハーネス１１１を介し、モータ室１０１に配置されている強電モジュール１１２（DC/DCコンバータ＋充電器）と接続される。このモータ室１０１には、強電モジュール１１２以外に、インバータ１１３と、モータ駆動ユニット１１４（走行用モータ＋減速ギヤ＋デファレンシャルギヤ）と、を有する。また、車両前面位置には、充電ポートリッドを有する急速充電ポート１１５と普通充電ポート１１６が設けられる。急速充電ポート１１５と強電モジュール１１２は、急速充電ハーネス１１７により接続される。普通充電ポート１１６と強電モジュール１１２は、普通充電ハーネス１１８により接続される。
【００１５】
前記バッテリパックBPは、インストルメントパネル１０５内に配置されているエアコンユニット１０７を備えた車載空調システムと接続される。即ち、後述するバッテリモジュールが搭載されているバッテリパックBPの内部温度（バッテリ温度）を温調風（冷風、温風）により管理する。なお、冷風は、車載空調システムから分岐冷媒管を介して冷媒をエバポレータに導入することで作り出す。温風は、車載空調システムからのPTCハーネスを介してPTCヒータを作動することで作り出す。
【００１６】
前記バッテリパックBPは、図外のＣＡＮケーブル等の双方向通信線を介し、外部の電子制御システムと接続される。即ち、バッテリパックBPは、外部の電子制御システムと情報交換に基づく統合制御により、バッテリモジュールの放電制御（力行制御）や充電制御（急速充電制御・普通充電制御・回生制御）等が行われる。
【００１７】
［バッテリパックBPのパック構成要素］
図３及び図４は、実施例１のバッテリパックBPの詳細を示す図である。以下、図３及び図４に基づき、バッテリパックBPのパック構成要素を説明する。
【００１８】
実施例１のバッテリパックBPは、図３及び図４に示すように、バッテリパックケース１と、バッテリモジュール２と、温調風ユニット３と、サービス・ディスコネクト・スイッチ４（強電遮断スイッチ：以下、「SDスイッチ」という。）と、ジャンクションボックス５と、リチウムイオン・バッテリ・コントローラ６（以下、「LBコントローラ」という。）と、を備えていている。
【００１９】
前記バッテリパックケース１は、図３及び図４に示すように、バッテリパックロアフレーム１１とバッテリパックアッパーカバー１２の２部品によって構成される。
【００２０】
前記バッテリパックロアフレーム１１は、図４に示すように、車体メンバに対し支持固定されるフレーム部材である。このバッテリパックロアフレーム１１には、バッテリモジュール２や他のパック構成要素３，４，５，６を搭載する方形凹部による搭載空間を有する。このバッテリパックロアフレーム１１のフレーム前端縁には、冷媒管コネクタ端子１３と充放電コネクタ端子１４と強電コネクタ端子１５（車室内空調用）と弱電コネクタ端子１６とが取り付けられている。
【００２１】
前記バッテリパックアッパーカバー１２は、図３に示すように、バッテリパックロアフレーム１１の外周部位置にボルト固定されるカバー部材である。このバッテリパックアッパーカバー１２には、バッテリパックロアフレーム１１に搭載される各パック構成要素２，３，４，５，６のうち、特にバッテリモジュール２の凹凸高さ形状に対応した凹凸段差面形状によるカバー面を有する。
【００２２】
前記バッテリモジュール２は、図４に示すように、バッテリパックロアフレーム１１に搭載され、第１バッテリモジュール２１と第２バッテリモジュール２２と第３バッテリモジュール２３との３分割モジュールにより構成される。各バッテリモジュール２１，２２，２３は、二次電池（リチウムイオンバッテリ等）による複数のバッテリセルを積み重ねた集合体構造である。各バッテリモジュール２１，２２，２３の詳しい構成は、下記の通りである。
【００２３】
前記第１バッテリモジュール２１は、図４に示すように、バッテリパックロアフレーム１１のうち車両後部領域に搭載される。この第１バッテリモジュール２１は、厚みが薄い直方体形状のバッテリセルを構成単位とし、複数個のバッテリセルを厚み方向に積み重ねたものを用意しておく。そして、バッテリセルの積み重ね方向と車幅方向を一致させて搭載する縦積み（例えば、２０枚縦積み）により構成している。
【００２４】
前記第２バッテリモジュール２２と前記第３バッテリモジュール２３のそれぞれは、図４に示すように、バッテリパックロアフレーム１１のうち、第１バッテリモジュール２１より前側の車両中央部領域に車幅方向に左右分かれて一対搭載される。この第２バッテリモジュール２２と第３バッテリモジュール２３は、全く同じパターンによる平積み構成としている。即ち、厚みが薄い直方体形状のバッテリセルを構成単位とし、複数枚（例えば、４枚と５枚）のバッテリセルを厚み方向に積み重ねたものを複数個（例えば、４枚積みを１組、５枚積みを２組）用意しておく。そして、バッテリセルの積み重ね方向と車両上下方向を一致させた平積み状態としたものを、例えば、車両後方から車両前方に向かって順に４枚平積み・５枚平積み・５枚平積みというように、車両前後方向に複数個整列させることで構成している。第２バッテリモジュール２２は、図４に示すように、前側バッテリモジュール部２２ａ，２２ｂと、前側バッテリモジュール部２２ａ，２２ｂより高さ寸法がさらに１枚分低い後側バッテリモジュール部２２ｃと、を有する。第３バッテリモジュール２３は、図４に示すように、前側バッテリモジュール部２３ａ，２３ｂと、前側バッテリモジュール部２３ａ，２３ｂより高さ寸法がさらに１枚分低い後側バッテリモジュール部２３ｃと、を有する。
【００２５】
前記温調風ユニット３は、図４に示すように、バッテリパックロアフレーム１１のうち車両前側空間の右側領域に配置され、バッテリパックBPの後述する送風ダクト９に温調風（冷風、温風）を送風する。なお、エバポレータ３３には、フレーム前端縁に取り付けられた冷媒管コネクタ端子１３を介して冷媒が導入される。
【００２６】
前記SDスイッチ４は、図３及び図４に示すように、バッテリパックロアフレーム１１のうち車両前側空間の中央部領域に配置され、手動操作によりバッテリ強電回路を機械的に遮断するスイッチである。バッテリ強電回路は、内部バスバーを備えた各バッテリモジュール２１，２２，２３と、ジャンクションボックス５と、SDスイッチ４と、を互いにバスバーを介して接続することで形成される。このSDスイッチ４は、強電モジュール１１２やインバータ１１３等の点検や修理や部品交換等を行う際、手動操作によりスイッチ入とスイッチ断が切り替えられる。
【００２７】
前記ジャンクションボックス５は、図３及び図４に示すように、バッテリパックロアフレーム１１のうち車両前側空間の左側領域に配置され、リレー回路により強電の供給/遮断/分配を集中的に行う。このジャンクションボックス５には、温調風ユニット３の制御を行う温調用リレー５１と温調用コントローラ５２が併設されている。ジャンクションボックス５と外部の強電モジュール１１２は、充放電コネクタ端子１４と充放電ハーネス１１１を介して接続される。ジャンクションボックス５と外部の電子制御システムは、弱電ハーネスを介して接続される。
【００２８】
前記LBコントローラ６は、図４に示すように、第１バッテリモジュール２１の左側端面位置に配置され、各バッテリモジュール２１，２２，２３の容量管理・温度管理・電圧管理を行う。このLBコントローラ６は、温度検出信号線からの温度検出信号、バッテリ電圧検出線からのバッテリ電圧検出値、バッテリ電流検出信号線からのバッテリ電流検出信号に基づく演算処理により、バッテリ容量情報やバッテリ温度情報やバッテリ電圧情報を取得する。そして、LBコントローラ６と外部の電子制御システムは、リレー回路のオン/オフ情報やバッテリ容量情報やバッテリ温度情報等を伝達する弱電ハーネスを介して接続される。
【００２９】
［バッテリパックBPのケース内部空間の領域区分構成］
図５は、実施例１のバッテリパックBPのケース内部空間の領域区分構成を示す平面図である。以下、図５に基づき、バッテリパックBPのケース内部空間の領域区分構成を説明する。
【００３０】
実施例１のバッテリパックBPは、図５に示すように、バッテリパックケース１の内部空間を、車幅方向に引かれる境界線Ｌを隔てて、車両後方側のバッテリモジュール搭載領域７と車両前方側の電装品搭載領域８の２つの車両前後方向領域に分けている。バッテリモジュール搭載領域７は、車両後方端から車両前方寄りの境界線Ｌまでのケース内部空間の大半の領域を占有する。電装品搭載領域８は、車両前方端から車両前方寄りの境界線Ｌまでのバッテリモジュール搭載領域７より狭い領域を占有する。
【００３１】
前記バッテリモジュール搭載領域７は、Ｔ字通路（中央通路３６と横断通路３７）により第１分割矩形領域７１と第２分割矩形領域７２と第３分割矩形領域７３の三つの分割矩形領域に区分される。第１分割矩形領域７１には、一側面にLBコントローラ６を有する第１バッテリモジュール２１が搭載される。第２分割矩形領域７２には、第２バッテリモジュール２２が搭載される。第３分割矩形領域７３には、第３バッテリモジュール２３が搭載される。
【００３２】
前記電装品搭載領域８は、車幅方向に分けられた第１区分領域８１と第２区分領域８２と第３区分領域８３の三つの区分領域に分けられる。第１区分領域８１から第２区分領域８２の下部にかけては、温調風ユニット３が搭載される。第２区分領域８２の上部には、SDスイッチ４が搭載される。第３区分領域８３には、ジャンクションボックス５が搭載される。
【００３３】
前記バッテリパックBPの内部空間には、温調風ユニット３に接続される送風ダクト９（図６、図８〜図１１参照）の配置を確保すると共に温調風の内部循環を確保する温調風通路を、各バッテリモジュール２１，２２，２３を分割矩形領域に搭載したときの隙間を利用して形成している。この温調風通路としては、車両前後方向の中央通路３６と、該中央通路３６に交差する車幅方向の横断通路３７と、流れ込んできた温調風を温調風ユニット３に戻す環状通路３８と、を有する。中央通路３６は、第２バッテリモジュール２２と第３バッテリモジュール２３の対向面に隙間を持たせることで形成される。横断通路３７は、第１バッテリモジュール２１と第２，第３バッテリモジュール２２，２３の対向面に隙間を持たせることで形成される。環状通路３８は、バッテリパックロアフレーム１１と各パック構成要素２，３，４，５，６との間に隙間余裕を持たせることで形成される。なお、温調風通路としては、中央通路３６と横断通路３７と環状通路３８以外に、ケース内部空間にパック構成要素２，３，４，５，６を搭載することにより形成される隙間や間隔や空間も含まれる。
【００３４】
［バッテリパックBPの温調構造］
図６〜図１２は、実施例１のバッテリパックBPに搭載された温調構造の詳細を示す図である。以下、図６〜図１２に基づき、バッテリパックBPの温調構造を説明する。
【００３５】
前記バッテリパックBPの温調構造は、図６に示すように、第１バッテリモジュール２１（車両後方側バッテリモジュール）と、第２，第３バッテリモジュール２２，２３（車両前方側バッテリモジュール）と、温調ユニット３と、送風ダクト９と、を備える。
【００３６】
前記第１バッテリモジュール２１は、バッテリパックケース１の内部空間の車両後方領域に収納配置される。
【００３７】
前記第２，第３バッテリモジュール２２，２３は、バッテリパックケース１の内部空間のうち、第１バッテリモジュール２１よりも車両前方領域に収納配置されると共に、モジュールの高さ寸法が第１バッテリモジュール２１よりも低く設定される。
【００３８】
前記温調ユニット３は、図７に示すように、ユニットケース３１と、送風ファン３２と、エバポレータ３３と、PTCヒータ３４と、ユニットダクト３５と、を有して構成される。ユニットケース３１の吐出口に接続されるユニットダクト３５には、第１バッテリモジュール２１及び第２，第３バッテリモジュール２２，２３に対し温調風を送風する送風口３５ａを有する。
【００３９】
前記送風ダクト９は、図６に示すように、一端がユニットダクト３５の送風口３５ａに接続され、他端が第２，３バッテリモジュール２２，２３の上面よりも車両上方に突出した第１バッテリモジュール２１のモジュール正面上部域２１ａ（図４参照）に対向配置される。そして、他端位置に、図８及び図１１に示すように、モジュール正面上部域２１ａに沿って車幅方向に延在すると共に、車両後方に向けて温調風を吹き出す吹き出し開口９１が形成される。
【００４０】
前記送風ダクト９は、図６に示すように、各バッテリモジュール２１，２２，２３の区分搭載により形成され、互いに交差する中央通路３６と横断通路３７によるＴ字隙間スペース域に配置される。この送風ダクト９は、図８〜図１０に示すように、ユニットダクト３５の送風口３５ａに接続され、車幅方向の寸法が一定で車両前後方向に延設した等幅ダクト部９２と、該等幅ダクト部９２に接続され、吹き出し開口９１に向かって車幅方向寸法を徐々に拡大した拡幅ダクト部９３と、を有する。
【００４１】
前記吹き出し開口９１は、第１バッテリモジュール２１のモジュール正面上部域２１ａに沿って車幅方向の広い範囲で温調風を吹き出すように３分割によるスリット状の開口とされる。そして、吹き出し開口９１から吹き出される温調風を受ける第１バッテリモジュール２１の各バッテリセル２００は、図１２に示すように、カシメ固定される縦２分割のセルホルダー２００ａ，２００ａにより外側を保持することで構成される。このセルホルダー２００ａ，２００ａは、吹き出し開口９１から車両後方への温調風をセルホルダー２００ａ，２００ａ内に導く流入開口２００ｂと、流入した温調風を排出する流出開口２００ｃを有する。なお、第２，３バッテリモジュール２２，２３の各バッテリセルについても、温調風の内部循環流れをスムーズにするように同様の構成としている。
【００４２】
前記等幅ダクト部９２は、中央通路３６の通路断面形状（長方形形状）に相似する縦長のダクト断面形状を保つ形状設定とされ、第２，第３バッテリモジュール２２，２３のうち、高さが高い前側バッテリモジュール部２２ａ，２２ｂ，２３ａ，２３ｂの中央通路３６に沿って配置される。
【００４３】
前記拡幅ダクト部９３は、図８に示すように、ダクト断面形状の高さを、吹き出し開口９１に向かって次第に縮小（図１０）し、且つ、ダクト断面形状の幅を、吹き出し開口９１に向かって次第に拡大（図９）する形状設定とされる。そして、第２，第３バッテリモジュール２２，２３のうち、高さが低い後側バッテリモジュール部２２ｃ，２３ｃの上方スペース及び横断通路３７に沿って配置される。
【００４４】
［バッテリパックBPの温調ユニットとSDスイッチの関連構成］
図８は、実施例１のバッテリパックBPに搭載されたSDスイッチ，温調風ユニット及び送風ダクトを示す斜視図である。以下、図８に基づいて、バッテリパックBPの温調ユニット３とSDスイッチ４の関連構成を説明する。
【００４５】
前記バッテリパックBPに内部には、図８に示すように、温調ユニット３と、SDスイッチ４と、送風ダクト９と、スイッチ固定フレーム４１と、を備えている。
【００４６】
前記温調ユニット３とSDスイッチ４は、バッテリパックケース１の内部空間のうち、上部空間位置にSDスイッチ４を配置している。そして、SDスイッチ４の下方位置であって、SDスイッチ４と車両上下方向に重なり合う位置に温調ユニット３を配置するという関連構成としている。
【００４７】
前記温調ユニット３は、送風ファン３２を内蔵したユニットケース３１を電装品搭載領域８の一端部位置に配置し、ユニットケース３１に接続されるユニットダクト３５を、電装品搭載領域８の中央下部位置に配置している。
【００４８】
前記SDスイッチ４は、レバー操作によりバッテリ強電回路を断接するスイッチ接点を内部に有するスイッチ本体部４２と、車両前後方向の軸を中心にスイッチオン位置から鉛直上方に回動し、その後、引き抜きによりスイッチオフ状態となるレバー４３ａを有する手動操作部４３と、を備える。スイッチ本体部４２は、電装品搭載領域７の中央上部位置に配置され、スイッチ本体部４２に連設する手動操作部４３は、バッテリパックケース１から外部に露出して配置される。
【００４９】
前記スイッチ固定フレーム４１は、バッテリパックケース１の内部に固定され、プレート部４１ａと、該プレート部４１ａから下方に延びてバッテリパックケース１（バッテリパックロアフレーム１１）に固定した脚部４１ｂと、を有する。そして、スイッチ固定フレーム４１のうちプレート部４１ａの上面位置に、SDスイッチ４のスイッチ本体部４２が設定される。一方、スイッチ固定フレーム４１のうち脚部４１ｂの周囲に形成したスイッチ下方スペースＳに、円弧形状で直角に屈曲するユニットダクト３５が配置される。このユニットダクト３５の送風口３５ａに、送風ダクト９が接続される。
【００５０】
次に、作用を説明する。
実施例１の電気自動車のバッテリパック温調構造における作用を、「バッテリパックBPの充放電作用」、「バッテリパックBPのバッテリ温度調整作用」、「温調ユニットとSDスイッチの配置作用」に分けて説明する。
【００５１】
［バッテリパックBPの充放電作用］
リチウムイオンバッテリ等の二次電池を搭載したバッテリパックBPは、エンジン車にとっての燃料タンクに相当し、バッテリ容量を増加させる充電とバッテリ容量を減少させる放電が繰り返される。以下、バッテリパックBPの充放電作用を説明する。
【００５２】
急速充電スタンドに停車して急速充電を行う時には、車両前面位置の充電ポートリッドを開き、スタンド側の急速充電用コネクタを車両側の急速充電ポート１１５に差し込む。この急速充電操作を行うと、急速充電ハーネス１１７を介して強電モジュール１１２のDC/DCコンバータに直流急速充電電圧が送電され、DC/DCコンバータでの電圧変換により直流充電電圧とされる。この直流充電電圧は、充放電ハーネス１１１を介してバッテリパックBPに送電され、バッテリパックBP内のジャンクションボックス５及びバスバーを経過し、各バッテリモジュール２１，２２，２３のバッテリセルに充電される。
【００５３】
家庭等で駐車して普通充電を行う時には、車両前面位置の充電ポートリッドを開き、家庭電源側の普通充電用コネクタを車両側の普通充電ポート１１６に差し込む。この普通充電操作を行うと、普通充電ハーネス１１８を介して強電モジュール１１２の充電器に交流普通充電電圧が送電され、充電器での電圧変換及び交流/直流変換により直流充電電圧とされる。この直流充電電圧は、充放電ハーネス１１１を介してバッテリパックBPに送電され、バッテリパックBP内のジャンクションボックス５及びバスバーを経過し、各バッテリモジュール２１，２２，２３のバッテリセルに充電される。
【００５４】
モータ駆動力により走行するモータ力行時には、各バッテリモジュール２１，２２，２３からの直流バッテリ電圧が、バスバー及びジャンクションボックス５を介してバッテリパックBPから放電される。この放電された直流バッテリ電圧は、充放電ハーネス１１１を介して強電モジュール１１２のDC/DCコンバータに送電され、DC/DCコンバータでの電圧変換により直流駆動電圧とされる。この直流駆動電圧は、インバータ１１３での直流/交流変換により交流駆動電圧とされる。この交流駆動電圧は、モータ駆動ユニット１１４の走行用モータに印加され、走行用モータを回転駆動する。
【００５５】
減速要求時に走行用モータをジェネレータとして用いるモータ回生時には、走行用モータがジェネレータ機能を発揮し、駆動タイヤから入力された回転エネルギーを発電エネルギーに変換する。この発電エネルギーにより発電された交流発電電圧は、インバータ１１３での交流/直流変換により直流発電電圧とされ、強電モジュール１１２のDC/DCコンバータでの電圧変換により直流充電電圧とされる。この直流充電電圧は、充放電ハーネス１１１を介してバッテリパックBPに送電され、バッテリパックBP内のジャンクションボックス５及びバスバーを経過し、各バッテリモジュール２１，２２，２３のバッテリセルに充電される。
【００５６】
［バッテリパックBPのバッテリ温度調整作用］
バッテリは温度依存度が高く、バッテリ温度が高過ぎても、また、バッテリ温度が低過ぎてもバッテリ性能が低下する。したがって、できる限り高いバッテリ性能を維持するためには、バッテリパックBPに内蔵したバッテリ温度を最適温度域に調整することが必要である。以下、図５，図６及び図１１，図１２に基づき、これを反映するバッテリパックBPのバッテリ温度調整作用を説明する。
【００５７】
まず、温調用コントローラ５２により行われるバッテリパックBPの温調制御作用を述べる。例えば、バッテリ充放電負荷の継続や高い外気温度の影響を受けて、バッテリパックBPの内部温度が第１設定温度より高くなると、冷媒を温調風ユニット３のエバポレータ３３に導入し、送風ファン３２を回す。これにより、エバポレータ３３を通過する風から熱が奪われて冷風が作り出される。この冷風を、送風ダクト９を介して第１バッテリモジュール２１と第２バッテリモジュール２２と第３バッテリモジュール２３が搭載されているケース内部空間を循環させることにより、バッテリパックBPの内部温度（＝バッテリ温度）を低下させる。
【００５８】
これに対し、例えば、冷風循環や低い外気温度の影響を受けて、バッテリパックBPの内部温度が第２設定温度より低くなると、温調風ユニット３のPTCヒータ３４に通電し、送風ファン３２を回す。これにより、PTCヒータ３４を通過する風に熱が与えられて温風が作り出される。この温風を、送風ダクト９を介して第１バッテリモジュール２１と第２バッテリモジュール２２と第３バッテリモジュール２３が搭載されているケース内部空間を循環させることにより、バッテリパックBPの内部温度（＝バッテリ温度）を上昇させる。
【００５９】
このように、バッテリパックBPの温調制御を行うことで、バッテリパックBPの内部温度を、高いバッテリ性能が得られる第１設定温度〜第２設定温度の範囲に維持することができる。このとき、第１バッテリモジュール２１と第２バッテリモジュール２２と第３バッテリモジュール２３の温度分布が均等になるように、温調風を吹き出しながら循環させることが重要である。以下、温調風によるバッテリ温度調整作用を述べる。
【００６０】
温調風ユニット３の吹き出し口３５ａから吹き出される温調風（冷風、温風）は、送風ダクト９を通過して車両前方から車両後方に向かって流れる。そして、送風ダクト９の吹き出し口９１から、図６の矢印Ｂに示すように、第１バッテリモジュール２１のモジュール正面上部域２１ａに沿って車幅方向の広い範囲で温調風を吹き出される。したがって、送風ダクト９の吹き出し口９１から吹き出される温調風と、第１バッテリモジュール２１との間で熱交換が行われる。
【００６１】
そして、第１バッテリモジュール２１との間で熱交換した温調風は、図６の矢印Ｃ，Ｃに示すように、車幅方向の両側に分かれて環状通路３８に流れ込む。この環状通路３８に流れ込んできた温調風は、図６の矢印Ｄ，Ｄに示すように、環状通路３８のうち、車両両側通路部をそれぞれ車両後方から車両前方に向かって流れる。この車両後方から車両前方に向かう温調風のうち、一部の温調風は、図６の矢印Ｅ，Ｆ，Ｇに示すように、横断通路３７や第２バッテリモジュール２２と第３バッテリモジュール２３の隙間を経由し、中央通路３６に向かって流れ、中央通路３６にて合流する。したがって、中央通路３６に向かって流れる車幅方向の温調風と、第２バッテリモジュール２２及び第３バッテリモジュール２３との間で熱交換が行われる。
【００６２】
そして、第１バッテリモジュール２１との間で熱交換した後、環状通路３８の車両両側通路部をそのまま車両後方から車両前方に向かって流れた温調風は、環状通路３８の車両前方側通路部を経由し温調風ユニット３の吸入側に戻される。加えて、第２バッテリモジュール２２及び第３バッテリモジュール２３との間で熱交換した後、合流したて中央通路３６を車両後方から車両前方に向かって流れた温調風は、車両前方側通路部にて合流し、温調風ユニット３の吸入側に戻される。このように、熱交換後の温調風が温調風ユニット３の吸入側に戻されると、戻された温調風を吸込み、温調風ユニット３にて再び冷風または温風が作り出され、上記温調作用が繰り返される。
【００６３】
上記のように、実施例１では、温調ユニット３の送風口３５ａに一端が接続された送風ダクト９の他端を、第２，３バッテリモジュール２２，２３の上面よりも車両上方に突出した第１バッテリモジュール２１のモジュール正面上部域２１ａに対向配置した。そして、送風ダクト９の他端位置に、モジュール正面上部域２１ａに沿って車幅方向に延在すると共に、車両後方に向けて温調風を吹き出す吹き出し開口９１を形成する構成を採用した。
【００６４】
上記構成によって、温調ユニット３からの温調風は、送風口３５ａから送風ダクト９を経由し、送風ダクト９の吹き出し開口９１から、第１バッテリモジュール２１のモジュール正面上部域２１ａに対し車両後方に向けて吹き出される。
【００６５】
例えば、走行中、温度が上昇したバッテリモジュールを監視すると、走行風による冷却作用は、車両前方側バッテリモジュールに対する冷却作用が大きく、車両後方側バッテリモジュールに対する冷却作用が小さい。このため、ケース内のバッテリモジュールの温度分布をみると、車両前方側バッテリモジュールより車両後方側バッテリモジュールの温度が高い温度分布を示す。この温度分布状態で車両前方側バッテリモジュールに対し先に冷却風を吹き出すと、車両後方側バッテリモジュールに冷却風が届くのが遅れ、車両後方側バッテリモジュールが、高温のままの時間が続き、温度落差が大きな温度分布状態が長く維持されることになる。
【００６６】
これに対し、第１バッテリモジュール２１に対し先に冷却風を吹き出すと、温度が高い第１バッテリモジュール２１の温度が応答良く低下し、その後、バッテリパックケース１の内部空間の雰囲気温度が低下し、第２、第３バッテリモジュール２２，２３を冷却するという作用を示す。このため、第１バッテリモジュール２１と第２，３バッテリモジュール２２，２３の温度落差が短時間にて小さく抑えられ、効率的に各バッテリモジュール２１，２２，２３の温度均一化が図られる。
【００６７】
さらに、車両前後方向に並べて配置される第１バッテリモジュール２１と第２，３バッテリモジュール２２，２３は、高さの違いから段差が生じることに着目し、送風ダクト９の吹き出し開口９１を、第１バッテリモジュール２１のモジュール正面上部域２１ａに対向配置した。このため、送風ダクト９の高さを、第１バッテリモジュール２１の最大高さ位置よりも高い位置に設定する必要が無く、バッテリパックケース１の最大高さ寸法が、送風ダクト９の高さによって規定されることがない。すなわち、送風ダクト９を第１バッテリモジュール２１まで延ばしているにもかかわらず、バッテリパックケース１の最大高さ寸法は、送風ダクト９の高さを考慮することなく、第１バッテリモジュール２１の高さ寸法を基準として決めることができる。
【００６８】
この結果、バッテリパックケース１に収容される各バッテリモジュール２１，２２，２３の温度均一化を図りながら、バッテリパックケース１の最大高さが低く抑えられる。すなわち、フロア下部の限られたスペースに配置されるバッテリパックBPへ要求される高温調性能要求とコンパクト化要求に応えることができる。
【００６９】
実施例１では、温調ユニット３の送風口３５ａを、中央通路３６に向けて電装品搭載領域８に配置する。そして、送風ダクト９を、各バッテリモジュール２１，２２，２３の区分搭載により形成され、互いに交差する中央通路３６と横断通路３７によるＴ字隙間スペース域に配置する構成を採用した。
このように、温調ユニット３は、予め設定された電装品搭載領域８に配置され、送風ダクト９は、各バッテリモジュール２１，２２，２３の区分搭載により互いに交差する中央通路３６と横断通路３７により形成されるＴ字隙間スペース域を利用して配置される。
したがって、バッテリモジュール２と温調ユニット３と送風ダクト９をバッテリパックケース１に内蔵する配置としながらも、バッテリパックBPを大型化する必要が無く、バッテリパックBPのコンパクト化が図られる。
【００７０】
実施例１では、送風ダクト９を、温調ユニット３の送風口３５ａに接続され、車幅方向の寸法が一定で車両前後方向に延設した等幅ダクト部９２と、該等幅ダクト部９２に接続され、吹き出し開口９１に向かって車幅方向寸法を徐々に拡大した拡幅ダクト部９３と、を有する構成とした。そして、等幅ダクト部９２を、中央通路３６に沿って配置し、拡幅ダクト部９３を、後側バッテリモジュール部２２ｃ，２３ｃの上方スペース及び横断通路３７に沿って配置する構成を採用した。
このように、送風ダクト９のうち、等幅ダクト部９２は、中央通路３６を利用して配置され、拡幅ダクト部９３は、後側バッテリモジュール部２２ｃ，２３ｃの上方スペース及び横断通路３７を利用して配置される。
したがって、バッテリパックBPの内部空間に形成される隙間スペースを活用し、モジュール正面上部域２１ａに沿って車幅方向に延在する吹き出し開口９１を形成した送風ダクト９が、スペース効率良く配置される。
【００７１】
実施例１では、等幅ダクト部９２を、中央通路３６の通路断面形状に相似する縦長のダクト断面形状を保つ形状設定とした。そして、拡幅ダクト部９３を、ダクト断面形状の高さを、吹き出し開口９１に向かって次第に縮小し、且つ、ダクト断面形状の幅を、吹き出し開口９１に向かって次第に拡大する形状設定とする構成を採用した。
例えば、温調風の縦長流れを横長流れに変換して送風ダクトの内部を流す際、流れの変換領域にて通路断面積が大きく変化すると乱流を生じる原因となり、送風ダクトの吹き出し開口から吹き出す温調風の速度分布が大きくばらつく。
これに対し、縦長流れを横長流れに変換する領域にて通路断面積の変化を抑えたことで、送風ダクト９の吹き出し開口９１から均等化した速度分布により温調風が吹き出される。
【００７２】
実施例１では、縦積み搭載とした各バッテリセル２００により第１バッテリモジュール２１を構成する。そして、各バッテリセル２００の外側を保持するセルホルダー２００ａ，２００ａに、温調風をホルダー内に導く流入開口２００ｂと、流入した温調風を排出する流出開口２００ｃを有する構成を採用した。
この構成により、送風ダクト９の吹き出し開口９１から車両後方への温調風は、流入開口２００ｂからセルホルダー２００ａ，２００ａ内に導かれ、各バッテリセル２００の周りに温調風が直接流れ込み、各バッテリセル２００から効率よく熱を奪ったり、各バッテリセル２００に効率よく熱を与えたりする。
したがって、送風ダクト９の吹き出し口９１からの温調風と、第１バッテリモジュール２１との間での熱交換効率の高まりにより、バッテリ温度調整効果がさらに向上する。
【００７３】
［温調ユニットとSDスイッチの配置作用］
上記のように、バッテリパックBPに温調ユニットとSDスイッチを内蔵する場合、バッテリパックBPがフロア下部の限られたスペースに配置されるため、スペース効率を高めて温調ユニットとSDスイッチを配置することが要求される。以下、これを反映する温調ユニットとSDスイッチの配置作用を説明する。
【００７４】
実施例１では、バッテリパックケース１の内部空間のうち、上部空間位置にSDスイッチ４を配置した。そして、SDスイッチ４の下方空間位置であって、SDスイッチ４と車両上下方向に重なり合う位置に温調ユニット３を配置する構成を採用した。
【００７５】
例えば、バッテリパックケースの内部空間にSDスイッチと温調ユニットを配置するとき、SDスイッチの車両前方位置に温調ユニットを配置すると、バッテリパックケースの必要前後方向寸法が増大する。また、SDスイッチの車幅方向位置に温調ユニットを配置すると、バッテリパックケースの必要車幅方向寸法が増大する。
【００７６】
これに対し、バッテリパックケース１の内部にバッテリモジュール２１，２２，２３と共に電装品を配置するとき、電装品であるSDスイッチ４と温調ユニット３が車両上下方向に互いに重ね合わせた配置とすることで、ケース内でのスペース効率を高められる。
【００７７】
この結果、SDスイッチ４と温調ユニット３をバッテリパックケース１の内部に設定しながらも、前後方向ケース寸法や車幅方向ケース寸法の増大が抑えられる。すなわち、フロア下部の限られたスペースに配置されるバッテリパックBPのコンパクト化要求に応えることができる。
【００７８】
実施例１では、バッテリパックケース１の内部に、プレート部４１ａと、該プレート部４１ａから下方に延びてバッテリパックケース１に固定した脚部４１ｂと、を有するスイッチ固定フレーム４１を設けた。そして、SDスイッチ４を、プレート部４１ａの上面位置に設定し、温調ユニット３を、SDスイッチ４の下方位置であって、脚部４１ｂの周囲に形成されたスイッチ下方スペースＳに配置した構成を採用した。
すなわち、スイッチ固定フレーム４１により、SDスイッチ４の設定場所と、温調ユニット３の設定空間が、それぞれ上下方向に分離される。
したがって、SDスイッチ４と温調ユニット３を、スイッチ固定フレーム４１を隔てて上下分離配置とすることで、バッテリパックBPに振動等が入力しても、SDスイッチ４と温調ユニット３の干渉が防止される。
【００７９】
実施例１では、温調ユニット３を、送風ファン３２を内蔵したユニットケース３１と、ユニットケース３１に接続され、バッテリモジュール２１，２２，２３に向けて送風口３５ａを開口したユニットダクト３５と、を有する構成とした。そして、ユニットケース３１を、SDスイッチ４の側方位置に配置し、ユニットダクト３５を、SDスイッチ４の下部位置に配置する構成を採用した。
例えば、温調ユニット３の場合、バッテリモジュール２１，２２，２３への送風方向を決めるため、ユニットケース３１にユニットダクト３５が接続される。しかし、ユニットダクト３５としては、送風方向をバッテリモジュール２１，２２，２３に合わせるために屈曲した形状等によるものが用いられることで大型化する。このユニットダクト３５を配置するスペースを確保する必要がある。
これに対し、送風方向をバッテリモジュール２１，２２，２３へ合わせるための温調ユニット３のユニットダクト３５が、SDスイッチ４と車両上下方向に互いに重ね合わせた配置とされる。
【００８０】
実施例１では、バッテリパックケース１の内部空間を、車幅方向に引かれる境界線Ｌを隔てて、車両後方側のバッテリモジュール搭載領域７と車両前方側の電装品搭載領域８に分けた。そして、バッテリモジュール２をバッテリモジュール搭載領域７に配置し、SDスイッチ４と温調ユニット３を、電装品搭載領域８に配置する構成を採用した。
この構成により、バッテリモジュール２がバッテリモジュール搭載領域７に配置され、SDスイッチ４と温調ユニット３が、予め分けられた電装品搭載領域８に配置される。
したがって、バッテリモジュール２とSDスイッチ４と温調ユニット３を内蔵するバッテリパックBPのコンパクト化が達成される。
【００８１】
次に、効果を説明する。
実施例１の電気自動車のバッテリパック温調構造にあっては、下記に列挙する効果を得ることができる。
【００８２】
(1) バッテリパックケース１の内部空間の車両後方領域に収納配置される車両後方側バッテリモジュール（第１バッテリモジュール２１）と、
前記バッテリパックケース１の内部空間のうち、前記車両後方側バッテリモジュール（第１バッテリモジュール２１）よりも車両前方領域に収納配置されると共に、モジュールの高さ寸法が前記車両後方側バッテリモジュール（第１バッテリモジュール２１）よりも低く設定される車両前方側バッテリモジュール（第２，３バッテリモジュール２２，２３）と、
前記車両後方側バッテリモジュール（第１バッテリモジュール２１）及び前記車両前方側バッテリモジュール（第２，３バッテリモジュール２２，２３）に対し温調風を送風する送風口３５ａを有する温調ユニット３と、
一端が前記温調ユニット３の送風口３５ａに接続され、他端が前記車両前方側バッテリモジュール（第２，３バッテリモジュール２２，２３）の上面よりも車両上方に突出した前記車両後方側バッテリモジュール（第１バッテリモジュール２１）のモジュール正面上部域２１ａに対向配置され、且つ、他端位置に、前記モジュール正面上部域２１ａに沿って車幅方向に延在すると共に、車両後方に向けて温調風を吹き出す吹き出し開口９１が形成される送風ダクト９と、
を備える。
このため、バッテリパックケース１に収容される各バッテリモジュール２１，２２，２３の温度均一化を図りながら、バッテリパックケース１の最大高さを低く抑えることができる。
【００８３】
(2) 前記バッテリパックケース１の内部空間を、車幅方向に引かれる境界線Ｌを隔てて、車両後方側のバッテリモジュール搭載領域７と車両前方側の電装品搭載領域８に分け、
前記車両後方側バッテリモジュールは、前記バッテリモジュール搭載領域７を車幅方向の横断通路３７により区分した第１分割矩形領域７１に、車幅方向に延在して搭載した第１バッテリモジュール２１であり、
前記車両前方側バッテリモジュールは、前記バッテリモジュール搭載領域７を車両前後方向の中央通路３６により車幅方向に区分した第２分割矩形領域７２と第３分割矩形領域７３に、それぞれ搭載した第２バッテリモジュール２２と第３バッテリモジュール２３であり、
前記温調ユニット３の送風口３５ａを、前記中央通路３６に向けて前記電装品搭載領域８に配置し、
前記送風ダクト９を、前記各バッテリモジュール２１，２２，２３の区分搭載により形成され、互いに交差する前記中央通路３６と前記横断通路３７によるＴ字隙間スペース域に配置した。
このため、(1)の効果に加え、バッテリモジュール２と温調ユニット３と送風ダクト９をバッテリパックケース１に内蔵する配置としながらも、バッテリパックBPを大型化する必要が無く、バッテリパックBPのコンパクト化を図ることができる。
【００８４】
(3) 前記第２バッテリモジュール２２及び第３バッテリモジュール２３は、前側バッテリモジュール部２２ａ，２２ｂ，２３ａ，２３ｂと、該前側バッテリモジュール部２２ａ，２２ｂ，２３ａ，２３ｂより高さ寸法がさらに低い後側バッテリモジュール部２２ｃ，２３ｃと、を有し、
前記送風ダクト９は、前記温調ユニット３の送風口３５ａに接続され、車幅方向の寸法が一定で車両前後方向に延設した等幅ダクト部９２と、該等幅ダクト部９２に接続され、前記吹き出し開口９１に向かって車幅方向寸法を徐々に拡大した拡幅ダクト部９３と、を有し、
前記等幅ダクト部９２を、前記中央通路３６に沿って配置し、前記拡幅ダクト部９３を、前記後側バッテリモジュール部２２ｃ，２３ｃの上方スペース及び前記横断通路３７に沿って配置した。
このため、(2)の効果に加え、バッテリパックBPの内部空間に形成される隙間スペースを活用し、モジュール正面上部域２１ａに沿って車幅方向に延在する吹き出し開口９１を形成した送風ダクト９を、スペース効率良く配置することができる。
【００８５】
(4) 前記等幅ダクト部９２は、前記中央通路３６の通路断面形状に相似する縦長のダクト断面形状を保つ形状設定とし、
前記拡幅ダクト部９３は、ダクト断面形状の高さを、前記吹き出し開口９１に向かって次第に縮小し、且つ、ダクト断面形状の幅を、前記吹き出し開口９１に向かって次第に拡大する形状設定とした。
このため、(3)の効果に加え、縦長流れを横長流れに変換する領域にて通路断面積の変化が抑えられ、送風ダクト９の吹き出し開口９１から均等化した速度分布により温調風を吹き出すことができる。
【００８６】
(5) 前記車両後方側バッテリモジュール（第１バッテリモジュール２１）は、セルホルダー２００ａ，２００ａにより外側保持することで構成されるバッテリセル２００を厚み方向に複数個積み重ね、複数個のバッテリセル２００の積み重ね方向と車幅方向を一致させた縦積み搭載とし、
前記セルホルダー２００ａ，２００ａは、温調風をホルダー内に導く流入開口２００ｂと、流入した温調風を排出する流出開口２００ｃを有する。
このため、(1)〜(4)の効果に加え、送風ダクト９の吹き出し口９１からの温調風と、第１バッテリモジュール２１との間での熱交換効率を高めることで、バッテリ温度調整効果をさらに向上させることができる。
【００８７】
以上、本発明の電気自動車のバッテリパック温調構造を実施例１に基づき説明してきたが、具体的な構成については、この実施例１に限られるものではなく、特許請求の範囲の各請求項に係る発明の要旨を逸脱しない限り、設計の変更や追加等は許容される。
【００８８】
実施例１では、温調ユニット３として、冷風と温風を作り出すユニットの例を示した。しかし、温調ユニットとしては、冷風のみを作り出すユニットの例としても良い。また、温風のみを作り出すユニットの例としても良い。さらに、ファンからの強制送風によりバッテリ温度を低下させるユニットの例としても良い。
【００８９】
実施例１では、バッテリパックケース１の内部空間に、温調ユニット３と送風ダクト９を配置する例を示した。しかし、温調ユニットをバッテリパックケースの外部配置とし、送風ダクトのみをバッテリパックケースの内部空間に配置する例としても良い。また、温調ユニットと送風ダクトの大半部分をバッテリパックケースの外部配置とし、送風ダクトのうち、モジュール正面上部域に温調風を吹き出す吹き出し開口が形成される他端部のみをバッテリパックケースの内部空間に配置する例としても良い。
【００９０】
実施例１では、送風ダクト９として、一端が温調ユニット３の送風口３５ａに接続される独立ダクト構造の例を示した。しかし、送風ダクトとしては、一端が温調ユニットの送風口に接続されるものの、バッテリパックケースをダクト構成の一部として用いるような例としても良い。
【００９１】
実施例１では、本発明のバッテリパック温調構造を走行用駆動源として走行用モータのみを搭載したワンボックスタイプの電気自動車に適用する例を示した。しかし、本発明の電気自動車のバッテリパック温調構造は、ワンボックスタイプ以外に、セダンタイプやワゴンタイプやＳＵＶタイプ等の様々な電気自動車に適用できるのは勿論である。さらに、走行用駆動源として走行用モータとエンジンを搭載したハイブリッドタイプの電気自動車（ハイブリッド電気自動車）に対しても適用することができる。要するに、フロア下部やラゲージルーム等にバッテリパックを備えた電気自動車であれば適用できる。
【符号の説明】
【００９２】
BP  バッテリパック
１  バッテリパックケース
２  バッテリモジュール
２１  第１バッテリモジュール（車両後方側バッテリモジュール）
２１ａ  モジュール正面上部域
２２  第２バッテリモジュール（車両前方側バッテリモジュール）
２２ａ，２２ｂ  前側バッテリモジュール部
２２ｃ  後側バッテリモジュール部
２３  第３バッテリモジュール（車両前方側バッテリモジュール）
２３ａ，２３ｂ  前側バッテリモジュール部
２３ｃ  後側バッテリモジュール部
３  温調風ユニット
３１  ユニットケース
３２  送風ファン
３３  エバポレータ
３４  PTCヒータ
３５  ユニットダクト
３５ａ  送風口
４  SDスイッチ
５  ジャンクションボックス
６  LBコントローラ
７  バッテリモジュール搭載領域
８  電装品搭載領域
９  送風ダクト
９１  吹き出し開口
９２  等幅ダクト部
９３  拡幅ダクト部
２００  バッテリセル
２００ａ  セルホルダー
２００ｂ  流入開口
２００ｃ  流出開口
【図１】
0005924025.tif 000002
【図２】
0005924025.tif 000003
【図３】
0005924025.tif 000004
【図４】
0005924025.tif 000005
【図５】
0005924025.tif 000006
【図６】
0005924025.tif 000007
【図７】
0005924025.tif 000008
【図８】
0005924025.tif 000009
【図９】
0005924025.tif 000010
【図１０】
0005924025.tif 000011
【図１１】
0005924025.tif 000012
【図１２】
0005924025.tif 000013